(57)【特許請求の範囲】
【請求項１】
回転軸(A)回りに回転可能で、周方向に複数の羽根(11)が配列された羽根車(13)と、この羽根車(13)を収容するとともに前記羽根車(13)に対して前記回転軸(A)の軸方向の一方(D1)に位置するベルマウス(19)を有するケーシング(23)と、を備えた多翼送風機であって、
前記羽根(11)同士の隙間のうち前記ベルマウス(19)側に位置する連通部(25)の少なくとも一部は、前記ベルマウス(19)の端部よりも半径方向の外側に位置しており、
前記羽根車(13)は、前記連通部(25)の一部を塞ぐとともに前記周方向に沿って円環状に延びる気流抵抗部(50)を有しており、
前記気流抵抗部(50)は、互いに同心であり、かつ半径方向に互いに間隔をあけて設けられた３つ以上の円環部(51)を含み、
前記３つ以上の円環部(51)と、前記複数の羽根(11)の前記ベルマウス(19)側の縁部とがつながることにより、前記連通部(25)において前記周方向に並ぶ複数の連通孔(25a)が形成されており、各連通孔(25a)の半径方向の開口寸法が略均一である、多翼送風機。
【請求項２】
各連通孔(25a)の周方向の開口寸法は略均一である、請求項１に記載の多翼送風機。
【請求項３】
各円環部(51)は、隣り合う円環部(51)同士の隙間が前記軸方向の他方(D2)に向かうにつれて漸次減少する漸減領域が存在するように、前記軸方向に対して傾斜した傾斜状又は湾曲状の案内面(G)を有している請求項１又は２に記載の多翼送風機。
【請求項４】
各円環部(51)における前記軸方向の一方(D1)の端部(C1)は、前記軸方向に対して傾斜した傾斜面又は湾曲面を有している、請求項３に記載の多翼送風機。
【請求項５】
各円環部(51)は、各羽根(11)よりも前記軸方向の一方(D1)に突出している、請求項１〜４のいずれか１項に記載の多翼送風機。
【発明の詳細な説明】
【技術分野】
【０００１】
本発明は、多翼送風機の構造に関するものである。
【背景技術】
【０００２】
従来から、例えば空気調和装置の送風機としてシロッコファンなどの多翼送風機が用いられている。この多翼送風機は、ファンモータにより回転する羽根車と、この羽根車を収容するケーシングとを備えている。この羽根車は、周方向に沿って配列された複数の羽根を有している。ケーシングは、羽根車に対して軸方向に対向配置されて空気の吸込口を形成するとともにこの空気を羽根車に案内するベルマウスと、空気をケーシングの外部に吹き出す吹出口とを有している。ベルマウスにより案内された空気は、羽根車内に流入し、羽根同士の隙間を通過して羽根車の半径方向の外側に流出し、吹出口から吹き出される（例えば、特許文献１）。
【先行技術文献】
【特許文献】
【０００３】
【特許文献１】特開２００９−２８１１９８号公報
【発明の概要】
【発明が解決しようとする課題】
【０００４】
一般に、多翼送風機は、高い比速度で用いられることが多く、また、羽根車の回転時には羽根車に多少の振れが生じる。したがって、回転時において羽根車がベルマウスに接触するのを防止するために、羽根車は、ベルマウスとの間に比較的大きな間隔をあけて配置されている。すなわち、ベルマウス側の羽根同士の隙間（連通部）とケーシングとの間には比較的大きな間隔があいている。
【０００５】
したがって、このような多翼送風機では、羽根車から半径方向の外側に流出した空気の一部が前記連通部を通じて羽根車に再流入する循環流れが生じやすく、この循環流れが騒音の原因となる。
【０００６】
そこで、本発明は、かかる点に鑑みてなされたものであり、その目的とするところは、循環流れに起因する騒音を低減できる多翼送風機を提供することにある。
【課題を解決するための手段】
【０００７】
（１）本発明の多翼送風機は、回転軸(A)回りに回転可能で、周方向に複数の羽根(11)が配列された羽根車(13)と、この羽根車(13)を収容するとともに前記羽根車(13)に対して前記回転軸(A)の軸方向の一方(D1)に位置するベルマウス(19)を有するケーシング(23)と、を備えている。前記羽根(11)同士の隙間のうち前記ベルマウス(19)側に位置する連通部(25)の少なくとも一部は、前記ベルマウス(19)の端部よりも半径方向の外側に位置している。前記羽根車(13)は、前記連通部(25)の一部を塞ぐとともに前記周方向に沿って円環状に延びる気流抵抗部(50)を有している。
【０００８】
この構成では、気流抵抗部(50)は、連通部(25)における羽根(11)同士の隙間の一部を塞ぐとともに周方向に沿って円環状に延びているので、循環流れが連通部(25)を通過する際の抵抗となる。したがって、気流抵抗部(50)を設けていない場合と比べて、羽根車(13)に再流入する循環流れの流入量を低減できると考えられる。これにより、循環流れに起因する騒音を低減することができる。
【０００９】
また、循環流れの流入量が低減されると、その分だけ損失が小さくなり、循環流れに起因する静圧の低下が抑制される。
【００１０】
また、ベルマウス(19)に案内されて羽根車(13)に流入する空気（主流）は、羽根(11)同士の隙間において循環流れとの間で干渉し合うが、循環流れの流入量が低減されることにより、前記干渉に起因する主流の乱れが低減されるので、性能の向上が期待できる。
【００１１】
（２）前記多翼送風機において、前記気流抵抗部(50)は、互いに同心であり、かつ半径方向に互いに間隔をあけて設けられた複数の円環部(51)を含んでいる。この構成では、連通部(25)において、前記複数の円環部(51)によって半径方向及び周方向の全体にわたってバランスよく循環流れの抵抗を持たせることができる。これにより、半径方向及び周方向の全体にわたって循環流れを整流する効果が期待できる。
【００１２】
（３）前記多翼送風機において、前記複数の円環部(51)と、前記複数の羽根(11)の前記ベルマウス(19)側の縁部とがつながることにより、前記連通部(25)において前記周方向に並ぶ複数の連通孔(25a)が形成されている。この構成では、各羽根(11)が連通孔(25a)の周方向の縁を構成している。したがって、各連通孔(25a)から流入した循環流れは、流入した直後から羽根(11)よって円滑に案内されるので、循環流れに乱れが生じるのを抑制することができる。
【００１３】
（４）前記多翼送風機において、各連通孔(25a)の周方向の開口寸法は略均一であるのが好ましい。この構成では、循環流れは、連通孔(25a)を通過することにより、流れ方向や流速などが周方向にわたってある程度均一化され、より安定した流れに整流される。
【００１４】
（５）前記多翼送風機において、前記気流抵抗部(50)は３つ以上の円環部(51)を含み、各連通孔(25a)の半径方向の開口寸法は略均一である。この構成では、循環流れは、連通部(25)を通過することにより、流れ方向や流速などが半径方向にわたってある程度均一化され、より安定した流れに整流される。
【００１５】
（６）前記多翼送風機において、各円環部(51)は、隣り合う円環部(51)同士の隙間が前記軸方向の他方(D2)に向かうにつれて漸次減少する漸減領域が存在するように、前記軸方向に対して傾斜した傾斜状又は湾曲状の案内面(G)を有しているのが好ましい。この構成では、隣り合う円環部(51)同士の隙間に流入した循環流れは、前記漸減領域を通過する際に流れ方向に加速される。この加速によって循環流れの乱れが減少するので、騒音の低減効果をより高めることができる。
【００１６】
（７）前記多翼送風機において、各円環部(51)における前記軸方向の一方(D1)の端部(C1)は、前記軸方向に対して傾斜した傾斜面又は湾曲面を有しているのが好ましい。各円環部(51)の前記軸方向の一方(D1)の端部(C1)は、隣り合う円環部(51)同士の隙間に循環流れが流入する入口の縁部を構成している。したがって、前記縁部が傾斜面又は湾曲面であることにより、循環流れが連通部(25)に円滑に流入するので、騒音をより低減することができる。
【００１７】
（８）前記多翼送風機において、各円環部(51)は、各羽根(11)よりも前記軸方向の一方(D1)に突出しているのが好ましい。この構成では、循環流れは、円環部(51)において予め整流された後、羽根(11)に到達する。したがって、循環流れが円環部(51)よりも前に羽根(11)に到達する場合に比べて騒音の低減効果を高めることができる。
【発明の効果】
【００１８】
以上説明したように、本発明によれば、循環流れに起因する騒音を低減できる。
【図面の簡単な説明】
【００１９】
【図１】本発明の第１実施形態に係る多翼送風機を示す平面図である。
【図２】図１のＩＩ−ＩＩ線断面図である。
【図３】前記多翼送風機の羽根車の一部を拡大した平面図である。
【図４】（Ａ）は、前記羽根車における気流抵抗部の一例を示す平面図であり、（Ｂ）は、気流抵抗部の他の例を示す平面図である。
【図５】第１実施形態の変形例を示す断面図である。
【図６】本発明の第２実施形態に係る多翼送風機の羽根車を示す断面図である。
【図７】（Ａ）は、第２実施形態に係る多翼送風機の一部を拡大した断面図であり、（Ｂ），（Ｃ）は、その多翼送風機の羽根車の一部を拡大した断面図である。
【図８】従来の多翼送風機の一部を拡大した断面図である。
【発明を実施するための形態】
【００２０】
以下、本発明の実施形態に係る多翼送風機について図面を参照して詳細に説明する。
【００２１】
＜第１実施形態＞
図１及び図２に示すように、第１実施形態に係る多翼送風機１０は、渦巻形状のケーシング（スクロールケーシング）２３と、このケーシング２３内に収容された羽根車１３とを備えている。羽根車１３は、モータ６１に接続され、このモータ６１によりケーシング２３内において回転軸Ａを中心に回転方向Ｄに回転する。
【００２２】
ケーシング２３は、羽根車１３が収容される収容空間１５と、この収容空間１５内に空気を流入させるための吸込口１７が形成されたベルマウス１９と、収容空間１５内の空気を外部に吹き出させるための吹出口２１とを有している。
【００２３】
ケーシング２３は、羽根車１３に対して羽根車１３の回転軸Ａの軸方向の一方（方向Ｄ１）に配設された正面板２３１と、羽根車１３に対して前記軸方向の他方（方向Ｄ２）に配設された背面板２３３と、正面板２３１と背面板２３３の間に配設された側面板（胴板）２３５とを有している。このケーシング２３では、吸込口１７及び吹出口２１以外の部位は、正面板２３１、背面板２３３及び側面板２３５により塞がれている。ベルマウス１９は、正面板２３１に形成されており、羽根車１３の方向Ｄ１の端部と対向している。
【００２４】
図１に示すように、ケーシング２３は、羽根車１３を囲むように形成された略円筒形状の本体部２３ａと、この本体部２３ａから吹出口２１に向かって突出し、断面が略四角形の筒状に形成された吐出管部２３ｂとを有している。吐出管部２３ｂと本体部２３ａとの境界部分（舌部）２３７は、吐出管部２３ｂの側面板２３５と本体部２３ａの側面板２３５とが平面視で鋭角をなすようにつながっている。側面板２３５の内周面と羽根車１３との間隔は、舌部２３７から回転方向Ｄに沿って次第に大きくなる。
【００２５】
ベルマウス１９は、ケーシング２３内へ空気を吸い込むための略円形の吸込口１７を有し、空気を羽根車１３に案内する役割を果たす。図２に示すように、ベルマウス１９の内周面及び外周面は、その内径が方向Ｄ２に向かうにつれて小さくなる湾曲形状を有している。
【００２６】
羽根車１３は、主板３５と、複数の前向き羽根１１と、リング部３３と、気流抵抗部５０とを有している。主板３５は、ケーシング２３の背面板２３３に対向して配置された円盤形状を有している。主板３５には、モータ６１の軸が接続されている。複数の羽根１１は、回転方向Ｄに沿ってほぼ等間隔に配列されている。各羽根１１の方向Ｄ２の端部は、主板３５につながっている。リング部３３は、各羽根１１の方向Ｄ１の端部同士を連結して補強するための環状の部材である。各羽根１１の前縁から後縁までの長さ（翼弦長）は、回転軸Ａの軸方向においてほぼ一定である。なお、各羽根１１は、例えば前記翼弦長が方向Ｄ２に向かうにつれて次第に大きくなる形状であってもよい。
【００２７】
モータ６１により羽根車１３が回転すると、図２において一点鎖線で示すように、ベルマウス１９からケーシング２３内に空気が吸い込まれる。この吸い込まれた空気は、回転軸Ａの軸方向に沿って方向Ｄ２に向かって羽根車１３内に流入し、羽根１１同士の隙間を通過して半径方向外側に羽根車１３から流出する。この流出した空気は、ケーシング２３の本体部２３ａの内部を回転方向Ｄに沿って移動し、吐出管部２３ｂの吹出口２１から吐出される。
【００２８】
図２及び図３に示すように、羽根車１３は、方向Ｄ１の端部に連通部２５を有している。連通部２５は、隣り合う羽根１１同士の隙間であり、羽根車１３の外部と軸方向に連通している。この第１実施形態では、連通部２５は、ベルマウス１９の端部１９ａよりも半径方向の外側に位置している（図２参照）。したがって、この多翼送風機３１では、羽根車１３から半径方向の外側に流出した空気の一部が連通部２５を通じて羽根車１３に再流入する循環流れＭが生じる。
【００２９】
図８は、従来の多翼送風機の一部を拡大した断面図である。図８に示すように、循環流れＭが生じると、ベルマウス１９に案内されて羽根車１３に流入する空気（主流）は、羽根１１同士の隙間において循環流れＭと混合し、乱れの大きい状態で羽根１１に衝突するので騒音の原因となる。そこで、第１実施形態では、次のような気流抵抗部５０を設けることにより、騒音の低減を図っている。
【００３０】
図４（Ａ）は、羽根車１３における気流抵抗部５０の一例を示す平面図であり、図４（Ｂ）は、気流抵抗部５０の他の例を示す平面図である。これらの気流抵抗部５０，５０に共通する特徴は、連通部２５の一部を塞ぐとともに周方向に沿って円環状に延びる形状を有している点である。各気流抵抗部５０は、図４（Ａ）に二点鎖線で描いた羽根車本体１３ａ（羽根車１３の構成要素のうち、気流抵抗部５０を除いた残りの構成要素）に着脱可能であり、羽根車本体１３ａとは別体の部材である。
【００３１】
図４（Ａ）に示す気流抵抗部５０は、羽根車本体１３ａの回転軸Ａと同心であって単一の（一重の）環からなる成形体である。気流抵抗部５０は、各羽根１１の方向Ｄ１の端部（縁部）に固定されている。気流抵抗部５０が各羽根１１に固定されている位置は、各羽根１１の前記縁部の中央付近（半径方向の中央付近）である。
【００３２】
図４（Ｂ）に示す気流抵抗部５０は、５つの円環部５１を含む。これらの円環部５１は、互いに同心であり、かつ半径方向に互いに間隔をあけて配置されている。隣り合う円環部５１同士の半径方向の間隔は、すべて同じである。５つの円環部５１は、半径方向に棒状に延びる複数の連結部５２によって一体化されている。複数の連結部５２は、周方向にほぼ等間隔に配置されている。したがって、図４（Ｂ）に図示する形態では、連通部２５において周方向及び半径方向に並ぶ複数の連通孔２５ａが形成され、各連通孔２５ａの周方向の開口寸法及び半径方向の開口寸法は略均一である。
【００３３】
この気流抵抗部５０は、各羽根１１の方向Ｄ１の端部（縁部）に固定されている。半径方向の最も内側の円環部５１は、各羽根１１の半径方向内側の端部近傍に位置し、半径方向の最も外側の円環部５１は、各羽根１１の半径方向外側の端部近傍に位置している（図２参照）。したがって、循環流れＭの大半は、気流抵抗部５０の円環部５１同士の隙間を通過して羽根車１３の羽根１１同士の隙間に再流入する。
【００３４】
図４（Ａ），（Ｂ）に示す各気流抵抗部５０は、例えば合成樹脂、金属などの材料により形成することができる。各気流抵抗部５０を羽根車本体１３ａに固定する方法は、接着剤による接合、融着による接合、固定するための図略の別部材を用いた固定などを用いることができる。また、円環部５１の幅、円環部５１の数、連結部５２の数などを変えることにより連通部２５を塞ぐ割合を調整できる。
【００３５】
なお、図５に示すように、半径方向において、ベルマウス１９の端部１９ａが連通部２５の半径方向の内側の端部２５ｂと外側の端部２５ａとの間に位置している場合には、ベルマウス１９の端部１９ａよりも半径方向内側には気流抵抗部５０を設けずに、連通部２５の半径方向外側の領域（循環流れＭが流入する領域）のみに気流抵抗部５０を設けてもよい。
【００３６】
＜第２実施形態＞
図６は、本発明の第２実施形態に係る多翼送風機３１の羽根車１３を示す断面図である。図７（Ａ）は、この多翼送風機３１の一部を拡大した断面図である。図７（Ｂ），（Ｃ）は、この多翼送風機３１の羽根車１３の一部を拡大した断面図である。なお、ここでは第１実施形態との相違点について主に説明し、第１実施形態と同じ構成要素については同じ符号を付しその詳細な説明を省略する。
【００３７】
第２実施形態の羽根車１３は、主板３５と、複数の前向き羽根１１と、気流抵抗部５０とを有している。主板３５は、円盤形状を有している。主板３５には、モータ６１の軸が接続される貫通孔３５ａを有している。複数の羽根１１は、回転方向Ｄに沿ってほぼ等間隔に配列されている。
【００３８】
主板３５の周縁部は、平面視で各羽根１１の半径方向内側の縁部とほぼ同じ位置にある。各羽根１１は、方向Ｄ２の端部（縁部）のうち半径方向内側の角部が主板３５の周縁部につながっている。隣り合う羽根１１において方向Ｄ２の端部同士の隙間Ｓは、方向Ｄ２に貫通している。また、羽根車１３は、方向Ｄ１の端部に連通部２５を有している。連通部２５は、隣り合う羽根１１同士の隙間であり、羽根車１３の外部と軸方向に連通している。
【００３９】
気流抵抗部５０は、４つの円環部５１を含む。これらの円環部５１は、互いに同心であり、かつ半径方向に互いに間隔をあけて設けられている。隣り合う円環部５１同士の半径方向の間隔は、すべて同じである。この第２実施形態では、上述したように隣り合う羽根１１において方向Ｄ２の端部同士の隙間Ｓが方向Ｄ２に貫通しているので、前記軸方向の両側に配置した一対の金型を用いて気流抵抗部５０を羽根車本体１３ａと一体成形することができる。これにより、生産性が向上する。
【００４０】
図７（Ａ）に示すように、４つの円環部５１は、各羽根１１の方向Ｄ１の端部（縁部）につながっている。このような４つの円環部５１が設けられていることにより、連通部２５において、周方向及び半径方向に並ぶ複数の連通孔２５ａが形成されている。各連通孔２５ａの周方向の開口寸法及び半径方向の開口寸法は略均一である。
【００４１】
また、４つの円環部５１は複数の羽根１１の側面と連続しており、各羽根１１が連通孔２５ａの周方向の縁を構成している。したがって、各連通孔２５ａから流入した循環流れＭは、流入した直後から羽根１１よって円滑に案内される。
【００４２】
半径方向の最も内側の円環部５１は、各羽根１１の半径方向内側の端部近傍に位置し、半径方向の最も外側の円環部５１は、各羽根１１の半径方向外側の端部近傍に位置している（図７（Ａ）参照）。したがって、循環流れＭの大半は、気流抵抗部５０の円環部５１同士の隙間を通過して羽根車１３の羽根１１同士の隙間に再流入する。
【００４３】
図７（Ｂ）に示すように、各円環部５１は、半径方向の両側の側部に、軸方向に対して傾斜した傾斜状又は湾曲状の案内面Ｇを有している。各円環部５１は、周方向に直交する断面（図７（Ｂ）に示す断面）において方向Ｄ１に向かうほど先細りする断面形状を有している。したがって、隣り合う円環部５１の間の空間は、隣り合う円環部５１同士の隙間が方向Ｄ２に向かうにつれて漸次減少する漸減領域を有している。言い換えると、円環部５１間の空気の流路は、下流側に向かうにつれて流路幅が減少する漸減領域を有している。この漸減領域では、ある上流側の位置における円環部５１間の距離Ｌ１よりも下流側（図７（Ｂ）の下側）の位置における円環部５１間の距離Ｌ２の方が小さい。
【００４４】
なお、各円環部５１の先細りする領域は、各円環部５１において少なくとも正面板２３１側の領域に設けられていればよく、各円環部５１の背面板２３３側の領域は、先細りする断面形状でなくてもよく、一定の幅を有する断面形状であってもよい。
【００４５】
また、各円環部５１における方向Ｄ１の角部Ｃ１は、軸方向に対して傾斜した傾斜面又は湾曲面を有している。言い換えると、各角部Ｃ１は、いわゆるＲ形状又はＣ面取りされた様な形状を有している。各円環部５１は、各羽根１１の縁部１１ａ（図７（Ｂ）の上縁部）よりも方向Ｄ１に突出している。前記漸減領域は、羽根１１の縁部１１ａよりも上方の領域と、縁部１１ａよりも下方の領域とに存在している。第２実施形態では、前記下方の領域よりも前記上方の領域の方が円環部５１間の距離の減少度合いが大きい。前記漸減領域は、例えば前記上方の領域のみに設けられていてもよい。
【００４６】
図７（Ｃ）に示すように、各羽根１１の縁部１１ａにおける両サイドの角部Ｃ２は、軸方向に対して傾斜した傾斜面又は湾曲面を有している。言い換えると、各角部Ｃ２は、いわゆるＲ形状又はＣ面取りされた様な形状を有している。これにより、循環流れＭが各羽根１１に滑らかに流入するので、騒音の低減効果のさらなる向上が期待できる。
【００４７】
各気流抵抗部５０は、例えば合成樹脂、金属などの材料により形成することができる。気流抵抗部５０の幅（円環部５１の幅）、円環部５１の数、羽根１１同士の間隔などを変えることにより連通部２５を塞ぐ割合を調整できる。例えば、気流抵抗部５０の半径方向の全長に対する隙間（開口）の割合を数十％程度（具体的には例えば３０〜６０％程度、好ましくは４０〜５０％程度）に調整することができる。
【００４８】
＜実施形態の概要＞
実施形態をまとめると、以下の通りである。
【００４９】
第１実施形態及び第２実施形態では、気流抵抗部５０は、連通部２５における羽根１１同士の隙間の一部を塞ぐとともに周方向に沿って円環状に延びているので、循環流れＭが連通部２５を通過する際の抵抗となる。したがって、気流抵抗部５０を設けていない場合と比べて、羽根車１３に再流入する循環流れＭの流入量を低減できると考えられる。これにより、循環流れに起因する騒音を低減することができる。
【００５０】
第１実施形態及び第２実施形態では、前記気流抵抗部５０は、互いに同心であり、かつ半径方向に互いに間隔をあけて設けられた複数の円環部５１を含んでいるので、複数の円環部５１によって半径方向及び周方向の全体にわたってバランスよく循環流れＭの抵抗を持たせることができる。これにより、半径方向及び周方向の全体にわたって循環流れを整流する効果が期待できる。
【００５１】
第２実施形態では、複数の円環部５１が複数の羽根１１の方向Ｄ１の縁部につながっており、半径方向及び周方向に連通孔２５ａが並んでいる。すなわち、各羽根１１が連通孔２５ａの周方向の縁を構成している。したがって、各連通孔２５ａから流入した循環流れＭは、流入した直後から羽根１１よって円滑に案内されるので、循環流れＭに乱れが生じるのを抑制することができる。
【００５２】
第１実施形態及び第２実施形態では、各連通孔２５ａの周方向の開口寸法は略均一であるので、循環流れＭは、連通孔２５ａを通過することにより、流れ方向や流速などが周方向にわたってある程度均一化され、より安定した流れに整流される。
【００５３】
第１実施形態及び第２実施形態では、気流抵抗部５０は３つ以上の円環部５１を含み、各連通孔２５ａの半径方向の開口寸法は略均一であるので、循環流れＭは、連通部２５を通過することにより、流れ方向や流速などが半径方向にわたってある程度均一化され、より安定した流れに整流される。
【００５４】
第２実施形態では、各円環部５１は、隣り合う円環部５１同士の隙間が方向Ｄ２に向かうにつれて漸次減少する漸減領域が存在するように、軸方向に対して傾斜した傾斜状又は湾曲状の案内面Ｇを有している。したがって、隣り合う円環部５１同士の隙間に流入した循環流れＭは、前記漸減領域を通過する際に流れ方向に加速される。この加速によって循環流れの乱れが減少するので、騒音の低減効果をより高めることができる。
【００５５】
第２実施形態では、各円環部５１における方向Ｄ１の角部Ｃは、前記軸方向に対して傾斜した傾斜面又は湾曲面を有している。各円環部５１の方向Ｄ１の端部は、隣り合う円環部５１同士の隙間に循環流れが流入する入口の縁部を構成している。したがって、前記縁部が傾斜面又は湾曲面であることにより、循環流れＭが連通部２５に円滑に流入するので、騒音をより低減することができる。
【００５６】
第１実施形態及び第２実施形態では、各円環部５１は、各羽根１１よりも方向Ｄ１に突出しているので、循環流れＭは、円環部５１において予め整流された後、羽根１１に到達する。したがって、循環流れＭが円環部５１よりも前に羽根１１に到達する場合に比べて騒音の低減効果を高めることができる。
【００５７】
以上、本発明の各実施形態について説明したが、本発明は、前記各実施形態に限られるものではなく、その趣旨を逸脱しない範囲で種々変更、改良等が可能である。
【００５８】
前記実施形態では、複数の連通孔２５ａは、周方向の開口寸法及び半径方向の開口寸法が略均一である場合を例示したが、これに限定されない。例えば、周方向の開口寸法及び半径方向の開口寸法の一方が略均一である形態であってもよく、両方が均一でない形態であってもよい。また、前記実施形態では、シロッコファンを例に挙げて説明したが、ターボファンなどの他の多翼送風機であってもよい。
【符号の説明】
【００５９】
１１  羽根
１３  羽根車
１５  収容空間
１７  吸込口
１９  ベルマウス
２１  吹出口
２３  ケーシング
２５  連通部
２５ａ  連通孔
３１  多翼送風機
５０  気流抵抗部
５１  円環部
Ａ  回転軸
Ｃ１，Ｃ２  角部
Ｄ  回転方向
Ｄ１  回転軸の軸方向の一方
Ｄ２  回転軸の軸方向の他方
Ｇ  案内面
Ｍ  循環流れ
【図１】
0005682751.tif 000002
【図２】
0005682751.tif 000003
【図３】
0005682751.tif 000004
【図４】
0005682751.tif 000005
【図５】
0005682751.tif 000006
【図６】
0005682751.tif 000007
【図７】
0005682751.tif 000008
【図８】
0005682751.tif 000009